(57)【要約】【課題】フックのボディからの出幅の変更と左右の付け替えが可能なフック装置。【解決手段】打込み工具のボディ１の一端に形成されたグリップ２の後部にフック支持部材１０を固定し、このフック支持部材１０に、引っ掛け部１７とスライド軸部１８とを屈曲状にして連結したフック１１を取り付けた打ち込み工具のフック装置であって、上記フック支持部材１０には、左右に貫通する嵌合孔１３を形成し、この嵌合孔１３に上記フックのスライド軸部１８を摺動自在に嵌合した。フック支持部材１０とスライド軸部１８の一方にはスナップフィット２１、２２を、他方にはスナップフィット２１、２２に係合可能な係合部１５を形成するようにしてもよい。【選択図】図３
2008000841.tif 000002
【特許請求の範囲】
【請求項１】
打込み工具のボディの一端に形成されたグリップの後部にフック支持部材を固定し、このフック支持部材に、引っ掛け部とスライド軸部とを屈曲状にして連結したフックを取り付けた打ち込み工具のフック装置であって、
上記フック支持部材には、左右に貫通する嵌合孔を形成し、この嵌合孔に上記フックのスライド軸部を摺動自在に嵌合した
ことを特徴とする打ち込み工具のフック装置。
【請求項２】
上記フック支持部材とスライド軸部には、上記スライド軸部を上記フック支持部材に一時的に止める停止機構を設けたことを特徴とする請求項１に記載の打ち込み工具のフック装置。
【請求項３】
上記停止機構がスナップフィット機構である、請求項２に記載の打ち込み工具のフック装置。
【請求項４】
上記スライド軸部の端部には、上記フック支持部材からの抜け止め部材を、素手で着脱可能に設けたことを特徴とする請求項１、２又は３に記載の打ち込み工具のフック装置。
【請求項５】
上記フック支持部材およびスライド軸部がそれぞれ円筒状に形成されているとともに、回り止めが形成されていることを特徴とする、請求項１、２、３又は４に記載の打ち込み工具のフック装置。
【発明の詳細な説明】
【技術分野】
【０００１】
本発明は、釘打機、ねじ締め機等の打ち込み工具を持ち運ぶ際に作業者のベルトや脚立、足場等に引っ掛けるためのフック装置に関する。
【背景技術】
【０００２】
一般に、釘打機やねじ打ち機やねじ締め機などの打ち込み工具を釘打ち込み作業の現場に持ち運ぶ場合、例えば作業の必要上両手を使う必要がある場合に、打ち込み工具を作業者のベルトや腰袋あるいは脚立、足場等に引っ掛けておくことがある。この場合、フックの工具ボディからの出幅は、打ち込み工具をベルトに掛けるような場合は幅が狭い方がよい。しかし、例えば脚立や足場に引っ掛けるような場合は幅が広い方がよい。また、利き手によって引っ掛け部が工具の右側にある方が作業しやすい場合と左側にある方がよい場合とがある。このように、フックは幅や取り付け位置を変更できるようにするのが好ましい。
【０００３】
そこで、フックの打込み工具のボディからの出幅を変えることができるようにしたものとして、フックを回転させることによって上記出幅を変更できるようにしたもの（特許文献１）や、フックに取り付け穴を２個設け、いずれかを選択し、ボルトで固定することによりフック出幅を変更できるようにしたものが知られている。また、フックの取り付け位置を変更できるようにしたものとしては、特許文献２のように、フックのボルトを外して付け替え、ボルトで固定するようにしたものが知られている。
【特許文献１】特開２００１−１６２５６６号公報
【特許文献２】特開２００３−１６５０７１公報
【発明の開示】
【発明が解決しようとする課題】
【０００４】
しかしながら、特許文献１の技術では、部品構成が複雑でコストが高い。また、ボルトの取外し、取付けでフックのボディからの出幅を変えるものは、幅変更に工具を必要とするので、取り扱いが面倒である。特許文献２の場合も、同様である。
【０００５】
さらに、フックは釘打機のボディの外側にむき出しの状態になっているため、金属製のものは、ねじ締め等の作業中に対象となる材料に強く接触したり、作業現場では釘打機を使用しないときに一時的に被打ち込み材の表面におくことがあり、このときに不注意に置いたり、打ち込み工具が手から滑り落ちたりしたとき、その衝撃で対象部材の表面を傷つけることがあるほか、フックが曲がったり、破損したりすることがある。
【０００６】
本発明は上記欠点を解消し、フックの打込み工具のボディからの出幅の変更と左右の付け替えが可能であるとともに、対象部材を傷つけにくい打ち込み工具のフック装置を提供することをその課題とする。
【課題を解決するための手段】
【０００７】
上記課題を解決するため、請求項１に係る発明は、打込み工具のボディの一端に形成されたグリップの後部にフック支持部材を固定し、このフック支持部材に、引っ掛け部とスライド軸部とを屈曲状にして連結したフックを取り付けた打ち込み工具のフック装置であって、上記フック支持部材には、左右に貫通する嵌合孔を形成し、この嵌合孔に上記フックのスライド軸部を摺動自在に嵌合したことを特徴とする。
【０００８】
請求項２に係る発明は、請求項１において、上記フック支持部材とスライド軸部には、上記スライド軸部を上記フック支持部材に一時的に止める停止機構を設けたことを特徴とする。
【０００９】
請求項３に係る発明は、請求項２において、上記停止機構がスナップフィット機構であることを特徴とする。
【００１０】
請求項４に係る発明は、請求項１、２又は３において、上記スライド軸部の端部には、上記フック支持部材からの抜け止め部材を、素手で着脱可能に設けたことを特徴とする。
【００１１】
請求項５に係る発明は、請求項１、２、３又は４において、上記フック支持部材およびスライド軸部がそれぞれ円筒状に形成されているとともに、回り止めが形成されていることを特徴とする。
【発明の効果】
【００１２】
請求項１に係る発明によれば、グリップとマガジンとを連結する連結部に、左右に貫通する嵌合孔を有する筒状の合成樹脂製フック支持部材を固定し、このフック支持部材に、上記フックのスライド軸部を摺動自在に嵌合したから、スライド軸部を右から嵌合しても左から嵌合しても取り付けることができる。したがって、利き手に応じて付け替えができ、引っ掛ける対象に応じてフックの打込み工具のボディからの出幅を変更することができるから、作業者にとって非常に便利である。
【００１３】
請求項２に係る発明によれば、スライド軸部をフック支持部材に一時的に止める停止機構が設けられているので、フックの打込み工具のボディからの出幅を調整することができる。
【００１４】
請求項３に係る発明によれば、スライド軸部はスナップフィット機構によって一時的に止められるので、請求項２による効果のほか、クリック感があるので、位置が切り替ったことを確実に認識することができ、操作感がよい。
【００１５】
請求項４に係る発明によれば、スライド軸部の端部には、フック支持部材の筒部からの抜け止め部材を素手で着脱可能に設けたから、工具を使用しなくても左右の付け替えを容易に行うことができる。
【００１６】
請求項５に係る発明によれば、フック支持部材およびスライド軸部がそれぞれ円筒状に形成されているとともに、回り止めが形成されているから、スナップフィットには回転による力が加わらない。したがって、スライド軸部とスナップフィットを合成樹脂から形成した場合でも、スナップフィットが破損するのを防止することができる。
【発明を実施するための最良の形態】
【００１７】
本発明の実施の形態を図面に基づいて説明する。本実施形態では打込み工具として釘打機を例示する。図１は釘打機の一部を省略した側面図であり、図２は要部の平面図である。
【００１８】
この釘打機はボディ１の後側にグリップ２を連接し、ボディ１の下方にはノーズ部３を設け、ノーズ部３の後方にマガジン４を備えたもので、エアコンプレッサからの圧縮空気をグリップ２の後端部から取り入れ、この圧縮空気を駆動源としてボディ１内の打撃機構を駆動し、マガジン４からノーズ部３に供給された釘を打撃して被打込み材に打ち込むものである。
【００１９】
上記グリップ２の後端とファスナーを装填するマガジン４の後部とを連結する連結部６にはフックユニットＦが取り付けられている。連結部６は図３に示されるように、中心から一側にずれた位置に設けられ、中央にはボルト７の挿通孔８ａが形成され、一側には凹部９が形成されている。
【００２０】
次に、フックユニットＦは図４〜図６に示されるように、フック支持部材１０とフック１１とから構成されている。
【００２１】
フック支持部材１０は上記連結部６の一側に対面する部位に、ボルトの挿通孔８ｂと上記凹部９に係合する凸部１２とを形成し、また、後方に突出する部位には左右に貫通する嵌合孔１３を形成したもので、上記凸部１２を連結部６の凹部９に係合し、両挿通孔８ａ、８ｂにボルト７を貫通させてナット１４で締結することで上記連結部６に固定されている。
【００２２】
また、フック支持部材１０には、上記嵌合孔１３の内面の中途部に、後述のスナップフィットに係合するための係合部１５が形成されている。係合部１５は左右両側に形成されている。係合部１５は孔でも凹みでもよい。さらに、嵌合孔１３の内面には、その上下両側の長手方向に沿って凹条１６が形成されている。フック支持部材１０は合成樹脂又は金属から形成すればよい。
【００２３】
次に、フック１１は合成樹脂製部材で、引っ掛け部１７とスライド軸部１８とを屈曲状に連結することにより略Ｌ字形に形成したもので、引っ掛け部１７は先細で細長の棒状に形成されている。スライド軸部１８は引っ掛け部１７の基部から直交方向に連続して延びる筒状部で、フック支持部材１０の嵌合孔１３に摺動自在に嵌合可能な大きさに形成されている。
【００２４】
また、フック支持部材１０とスライド軸部１８には、スライド軸部１８をフック支持部材１０に一時的に止める停止機構として、フック支持部材１０の係合部１５と協働するスナップフィット機構が設けられている。すなわち、スライド軸部１８の上下部に、その長手方向に沿って第１のスナップフィット２１と第２のスナップフィット２２が形成されている。各スナップフィット２１、２２は、スライド軸部１８の上下部の肉を細長Ｕ字状に切り込んだ切込み２０の内側に形成され、先端には顎部２３が外側に突出形成されている。顎部２３の前後面２４、２５はいずれも傾斜面として形成されている。また、スライド軸部１８の内面には、その左右両側の長手方向に沿って、上記嵌合孔１３の左右の凹条１６に嵌合可能な凸条２６が形成されている。
【００２５】
なお、第１のスナップフィット２１と第２のスナップフィット２２の顎部２３間の間隔は、上記フック支持部材１０の幅とほぼ同じになるように設定されている。
【００２６】
さらに、上記スライド軸部１８の遊端部の外周には係止溝２７が形成され、この係止溝２７にはエンドキャップ２８が着脱自在に係止されている。エンドキャップ２８は図６に示されるように、断面がコ字形で、内面には上記係止溝２７に係止可能な係止部２９が形成されている。エンドキャップ２８はスライド軸部１８の外れ止め機能も併せ持っている。また、エンドキャップ２８は強く引くことによって比較的簡単に外れるようになっている。
【００２７】
上記構成のスライド軸部１８をフック支持部材１０に装着するときは、スライド軸部１８の端部からエンドキャップ２８を素手で外し、この端部からフック支持部材１０の嵌合孔１３に嵌め入れる。このとき、スライド軸部１８の凸条２６が嵌合孔１３の凹条１６と係合するようにする。この状態で、少し摺動させると手前の第１のスナップフィット２１の先端の顎部２３がフック支持部材１０の係合部１５に飛び込んで係合する。これが進入抵抗となり、スライド軸部１８はこの位置で安定して保持される。装着後はエンドキャップ２８を強く押し込んで係止溝２７に係止させればよい。
【００２８】
ところで、顎部２３の前後面２４、２５は傾斜し、係合部１５との係合は緩やかなので、スライド軸部１８を強く押し引きすると、上記係合は外れ、さらにスライド軸部１８を摺動させることができる。そして、第２のスナップフィット２２の先端の顎部２３がフック支持部材１０の係合部１５に係合し、この位置で安定して保持される。
【００２９】
また、スライド軸部１８が左右方向に摺動するとき、その内面に形成された凸条２６が嵌合孔１３の凹条１６と係合しているので、凸条２６と凹条１６とが回り止めとなり、引っ掛け部１７の角度やスナップフィットと係合部１５との位置が変わることはない。
【００３０】
上述の構成によれば、フック１１の打込み工具のボディ１からの出幅を小さくしたいときは、図２及び図３のように、フック支持部材１０の係合部１５に第１のスナップフィット２１の顎部２３を係合させ、フック１１の出幅を中間程度にしたいときは図７及び図８のように、第１のスナップフィット２１と第２のスナップフィット２２との間にフック支持部材１０が位置するようにする。フック支持部材１０の幅は第１のスナップフィット２１と第２のスナップフィット２２の顎部２３間の間隔とほぼ同じになるように設定されているから、スライド軸部１８はこの位置で安定する。さらに、フックの出幅を大きくしたいときは、図９及び図１０に示されるように、フック支持部材１０の係合部１５に第２のスナップフィット２２の顎部２３を係合させればよい。
【００３１】
このように、フック１１のスライド軸部１８を摺動させて適当な位置にある第１又は第２のスナップフィット２１、２２と係合部１５を係合させることにより、引っ掛ける対象に応じてフック１１のボディ１からの出幅を変更することができる。しかも、顎部２３が係合部１５に飛び込んだときにクリック感があるので、位置が切り替ったことを確実に認識することができ、操作感がよい。
【００３２】
また、フック支持部材１０およびスライド軸部１８には凸条２６と凹条１６による回り止めが形成されているから、第１および第２のスナップフィット２１、２２には回転による力が加わらない。したがって、これらのスナップフィットが破損するのを防止することができるとともに、引っ掛け部１７の角度やスナップフィットと係合部１５との位置が変わることがない。
【００３３】
さらに、フック支持部材１０とフック１１はいずれも合成樹脂から成形できるから、安価であるとともに、工具が倒れたりしてフック１１が化粧材や表面材などの対象部材の上に当たっても、傷をつけることがない。
【００３４】
次に、フック１１を左右に付け替えるときは、図３に示すエンドキャップ２８を外した後、スライド軸部１８をフック支持部材１０から引き出し、図１１のようにフック支持部材１０の嵌合孔１３の反対側の開口部から嵌め入れ、エンドキャップ２８を取り付ければよい。この場合、図１２に示されるように、第１および第２のスナップフィット２１、２２はフック支持部材１０の反対側の係合部１５に係合可能となる。このように、スライド軸部１８を右から嵌合しても左から嵌合しても取り付けることができるから、作業者の利き手に応じて付け替えができる。しかも、エンドキャップ２８を外すのに工具は必要ない。素手で外すことができるから、面倒がなく、取り扱いが容易である。
【００３５】
もちろん、フックの出幅も上述と同じ要領で変えればよい。
【００３６】
ところで、本発明は上記実施形態に限定されるものではなく、次に示すような形態も含まれる。
【００３７】
例えば、スライド軸部１８の回り止めは、凹条１６と凸条２６の位置が逆でもよく、またスライド軸部１８とフック支持部材１０とを角筒のように断面を非円形に形成する構成であってもよい。
【００３８】
また、スライド軸部１８の外れ止めは、弾性を有する部材、例えばＯリングのようなものでもよい。Ｅ止め輪のようなものでもよい。
【００３９】
さらに、スナップフィット機構として、スナップフィットの数は２個に限定されない。図１３（ａ）（ｂ）（ｃ）に示すように１個のスナップフィット３０を設けただけでもよく、３個以上であってもよい。また、フック支持部材の方にスナップフィットを形成し、スライド軸部に複数の係合部を形成する構成であってもよい。なお、スライド軸部１８にはフックは省略されている。以下の形態も同様である。
【００４０】
加えて、スナップフィットはフック１１のスライド軸部１８と一体に形成されている必要はない。図１４に示すように、金属バネ材３１をスナップフィットのように折り曲げて合成樹脂製のスライド軸部１８に押し込み固定する構成であってもよい。
【００４１】
なお、スライド軸部を上記フック支持部材に一時的に止める停止機構は上述のスナップフィット機構に限定されない。例えば、図１５に示されるように、フック支持部材１０の嵌合孔１３の内周面には内周溝３２を形成するとともに、スライド軸部１８の外周面には一定の間隔で外周溝３３を形成し、フック支持部材の内周溝３２内に保持したＯリング３４がスライド軸部１８の外周溝３３に係合したときに停止され、さらに強く押し引きすることにより停止状態が解除されるとする構成であってもよい。
【００４２】
また、図１６（ａ）（ｂ）（ｃ）に示されるように、フック支持部材１０の壁にネジ穴３５を形成し、このネジ孔３５からネジ３６を締めこんでその先端をスライド軸部１８の外面に強く押し付けることにより停止し、さらにネジ３６を緩めることにより停止状態を解除するとする構成であってもよい。この場合は、フック支持部材１０を金属から形成するのが好ましい。
【００４３】
そのほか、フックユニットＦの取り付け位置も、上述のようにグリップ２の後端とファスナーを装填するマガジン４の後部とを連結する連結部６に限定されない。図１７（ａ）（ｂ）のように、グリップ２の後端に配置する構成であってもよい。
【００４４】
また、本発明のフックユニットＦを取り付ける対象は、釘打機でなくてもよい。ネジ打ち機やネジ締め機等の打ち込み工具にも適用することができる。
【図面の簡単な説明】
【００４５】
【図１】本発明の一実施形態に係る釘打機の概要を示す側面図
【図２】図１の要部の平面図
【図３】図１のＡ−Ａ線上の断面図
【図４】フックユニットの正面図
【図５】図４のＢ−Ｂ線上の断面図
【図６】図４のＣ−Ｃ線上の断面図
【図７】フックの出幅を中間程度にしたときの要部の平面図
【図８】図７のＤ−Ｄ線上の断面図
【図９】フック出幅を広くしたときの要部の平面図
【図１０】図９のＥ−Ｅ線上の断面図
【図１１】フックを付け替えた状態の要部の平面図
【図１２】図１１の縦断面図
【図１３】（ａ）（ｂ）（ｃ）は別のスナップフィットの実施形態とその作動状態説明図
【図１４】スナップフィットを金属バネ材から形成した状態の要部の断面図
【図１５】停止機構の他の実施形態を示す要部の断面図
【図１６】（ａ）（ｂ）（ｃ）は停止機構の他の実施形態を示す要部の断面図
【図１７】（ａ）（ｂ）はフックユニットの取付位置を変更した他の実施形態の側面図及び要部を断面で示した拡大平面図
【符号の説明】
【００４６】
Ａ    フックユニット
１    ボディ
２    グリップ
３    ノーズ部
４    マガジン
１０  フック支持部材
１１  フック
１３  嵌合孔
１５  係合部
１７  引っ掛け部
１８  スライド軸部
２１  第１のスナップフィット
２２  第２のスナップフィット
２８  エンドキャップ
【図１】
2008000841.tif 000003
【図２】
2008000841.tif 000004
【図３】
2008000841.tif 000005
【図４】
2008000841.tif 000006
【図５】
2008000841.tif 000007
【図６】
2008000841.tif 000008
【図７】
2008000841.tif 000009
【図８】
2008000841.tif 000010
【図９】
2008000841.tif 000011
【図１０】
2008000841.tif 000012
【図１１】
2008000841.tif 000013
【図１２】
2008000841.tif 000014
【図１３】
2008000841.tif 000015
【図１４】
2008000841.tif 000016
【図１５】
2008000841.tif 000017
【図１６】
2008000841.tif 000018
【図１７】
2008000841.tif 000019